(57)【要約】【課題】インジェクタ及び格子盤のレイアウトの自由度と尿素水等の添加剤の気化効率を高める一方、格子盤の配置に伴う圧力損失を抑制し得るミキシング構造を提供する。【解決手段】排気管１の途中の排気ガス４が曲折して流れる屈曲部１Ａ（流れ変更部）に、該屈曲部１Ａの上流側から向かってくる排気ガス４の流入方向（図中の矢印ｘを参照）と、屈曲部１Ａの下流側へ抜け出る排気ガス４の流出方向（図中の矢印ｙを参照）とが成す角度を略二等分するように格子盤７を傾斜配置し、該格子盤７の入側に対し排気ガス４の流出方向に向け尿素水５（添加剤）を噴射し得るようにインジェクタ３を配置し、上流側からの排気ガス４が衝突する格子盤７の流路壁の裏側に、インジェクタ３からの尿素水５の噴霧が衝突するように構成する。【選択図】図１
2015218687.tif 000002
【特許請求の範囲】
【請求項１】
多数の流路を軸心方向に開通した格子盤を排気系の途中に介装し、その上流側に添加した添加剤を前記格子盤の流路壁に衝突させて気化を促しつつ分散せしめるミキシング構造であって、排気系の途中の排気ガスが曲折して流れる流れ変更部に、該流れ変更部の上流側から向かってくる排気ガスの流入方向と、前記流れ変更部の下流側へ抜け出る排気ガスの流出方向とが成す角度を略二等分するように前記格子盤を傾斜配置し、該格子盤の入側に対し前記排気ガスの流出方向に向け添加剤を噴射し得るようにインジェクタを配置し、前記流れ変更部の上流側から向かってくる排気ガスが衝突する前記格子盤の流路壁の裏側に、前記インジェクタからの添加剤の噴霧が衝突するように構成したことを特徴とするミキシング構造。
【請求項２】
格子盤の各流路の出側に排気ガスの流れを流れ変更部からの流出方向へ案内するフィンを設けたことを特徴とする請求項１に記載のミキシング構造。
【発明の詳細な説明】
【技術分野】
【０００１】
本発明は、排気系の途中に添加剤を添加して気化を促しながら排気ガス中に分散させるミキシング構造に関するものである。
【背景技術】
【０００２】
従来より、ディーゼルエンジンにおいては、排気ガスが流通する排気管の途中に、酸素共存下でも選択的にＮＯx（窒素酸化物）を還元剤と反応させる性質を備えた選択還元型触媒を装備し、該選択還元型触媒の上流側に必要量の還元剤を添加して該還元剤を選択還元型触媒上で排気ガス中のＮＯxと還元反応させ、これによりＮＯxの排出濃度を低減し得るようにしたものがある。
【０００３】
他方、プラント等における工業的な排煙脱硝処理の分野では、還元剤にアンモニア（ＮＨ3）を用いてＮＯxを還元浄化する手法の有効性が既に広く知られているところであるが、自動車の場合には、アンモニアそのものを搭載して走行することに関し安全確保が難しいため、毒性のない尿素水を還元剤として使用することが提案されている。
【０００４】
即ち、尿素水を選択還元型触媒の上流側で排気ガス中に添加すれば、該排気ガス中で尿素水が次式によりアンモニアと炭酸ガスに加水分解され、選択還元型触媒上で排気ガス中のＮＯxがアンモニアにより良好に還元浄化されることになる。
［化１］
（ＮＨ2）2ＣＯ＋Ｈ2Ｏ→２ＮＨ3＋ＣＯ2
【０００５】
そして、選択還元型触媒の上流側で排気ガス中に尿素水を添加する従来技術として図４に示す如きものがあり、ここに図示している例においては、排気管１の外周部に上流側へ向け斜めに張り出す膨出部２を設け、該膨出部２の上流側にインジェクタ３を下流側に向け斜めに装着して排気管１内に臨ませ、このインジェクタ３を高温の排気ガス４の流れに直接的に晒さないように保護しながら尿素水５を添加するようにしている。
【０００６】
また、前記インジェクタ３による尿素水５の添加位置より下流側の排気管１内には、前記インジェクタ３からの尿素水５の噴霧を衝突させて気化を促しつつ分散せしめる格子盤６が装備されており、図５に拡大して示す如く、前記格子盤６には、多数の流路６ａが軸心方向に開通され且つ該各流路６ａの出側に互い違いに逆向きのフィン６ｂが付設されていて、各流路６ａを抜け出た排気ガス４の流れが交互に反対方向に振り分けられることで前記各フィン６ｂへの尿素水５の衝突と排気ガス４中への分散が促進されるようにしてある。
【０００７】
尚、この種のミキシング構造に関連する先行技術文献情報としては下記の特許文献１等がある。
【先行技術文献】
【特許文献】
【０００８】
【特許文献１】特開２０１３−２１７３５０号公報
【発明の概要】
【発明が解決しようとする課題】
【０００９】
しかしながら、前述した如き従来のミキシング構造においては、格子盤６全体を排気ガス４の熱で効率良く高温化する観点から排気管１の直伸部を選んで該直伸部を塞ぐように略直角な向きで格子盤６を設置するのが一般的であったが、排気管１で直伸部となるような部位は限られているため、そのような直伸部がある位置で周辺機器や構造物との干渉を避けてインジェクタ３を配置することが難しい場合も多く、インジェクタ３及び格子盤６のレイアウトの自由度が低いという問題があった。
【００１０】
また、従来のミキシング構造の場合、インジェクタ３から排気ガス４の流れの下流側に向け斜めに噴射された尿素水５の噴霧が直ぐに排気ガス４の流れに随伴され、該排気ガス４の流入方向と並行に延びる格子盤６の流路壁に接触しないまま通り抜け易かったため、尿素水５の気化効率の更なる向上が望まれていた。
【００１１】
しかも、本来なら排気管１の直伸部は圧力損失の極めて少ない部位となるはずであるが、前記格子盤６の配置により圧力損失が増大してしまうという弊害もあり、特に図４及び図５に示す如き格子盤６の場合には、各流路６ａの出側のフィン６ｂとの衝突と、その後の排気管１の内周面との衝突が連続して圧力損失が更に増えてしまっていた。
【００１２】
本発明は上述の実情に鑑みてなしたもので、インジェクタ及び格子盤のレイアウトの自由度と尿素水等の添加剤の気化効率を高める一方、格子盤の配置に伴う圧力損失を抑制し得るミキシング構造を提供することを目的としている。
【課題を解決するための手段】
【００１３】
本発明は、多数の流路を軸心方向に開通した格子盤を排気系の途中に介装し、その上流側に添加した添加剤を前記格子盤の流路壁に衝突させて気化を促しつつ分散せしめるミキシング構造であって、排気系の途中の排気ガスが曲折して流れる流れ変更部に、該流れ変更部の上流側から向かってくる排気ガスの流入方向と、前記流れ変更部の下流側へ抜け出る排気ガスの流出方向とが成す角度を略二等分するように前記格子盤を傾斜配置し、該格子盤の入側に対し前記排気ガスの流出方向に向け添加剤を噴射し得るようにインジェクタを配置し、前記流れ変更部の上流側から向かってくる排気ガスが衝突する前記格子盤の流路壁の裏側に、前記インジェクタからの添加剤の噴霧が衝突するように構成したことを特徴とするものである。
【００１４】
而して、このようにすれば、排気系の途中に多く存在している流れ変更部の中から最適な位置を選んで格子盤を配置することが可能となるので、該格子盤の上流側で添加剤を添加するインジェクタを配置するにあたり、該インジェクタと周辺機器や構造物との干渉を避け易くなり、インジェクタ及び格子盤のレイアウトの自由度が従来よりも高められることになる。
【００１５】
更に、流れ変更部の上流側から向かってくる排気ガスが衝突する格子盤の流路壁の裏側に、インジェクタからの添加剤の噴霧を衝突させるようにしているので、該添加剤の噴霧が排気ガスの流れの影響を受け難くなって格子盤の流路壁に衝突し易くなり、しかも、その衝突した流路壁の表側には排気ガスが衝突して効果的な加熱が成されているので、前記添加剤の噴霧の気化が著しく促進されて気化効率が従来よりも高められることになる。
【００１６】
また、本来なら排気ガスが曲折して流れることで圧力損失が増えるはずの流れ変更部に、排気ガスの流入方向と流出方向とが成す角度を略二等分するように格子盤を傾斜配置したことにより、該格子盤の各流路による整流効果で排気ガスの曲がり方向外側への偏流を是正することが可能となり、格子盤を配置しない場合よりも圧力損失を少なくすることが可能となる。
【００１７】
また、本発明においては、格子盤の各流路の出側に排気ガスの流れを流れ変更部からの流出方向へ案内するフィンを設けることが好ましく、このようにすれば、前記格子盤の各流路を抜け出た排気ガスの流れをフィンにより流出方向へ案内することが可能となるので、前記格子盤の各流路による整流効果をより一層高めて更なる圧力損失の低減化を図ることが可能となる。
【発明の効果】
【００１８】
上記した本発明のミキシング構造によれば、下記の如き種々の優れた効果を奏し得る。
【００１９】
（Ｉ）本発明の請求項１に記載の発明によれば、インジェクタ及び格子盤のレイアウトの自由度を従来より大幅に高めることができると共に、尿素水等の添加剤の気化効率を従来より大幅に高めることもでき、更には、格子盤の配置に伴う圧力損失を著しく抑制することもできる。
【００２０】
（ＩＩ）本発明の請求項２に記載の発明によれば、格子盤の各流路を抜け出た排気ガスの流れをフィンにより流出方向へ案内することができるので、前記格子盤の各流路による整流効果をより一層高めて更なる圧力損失の低減化を図ることができる。
【図面の簡単な説明】
【００２１】
【図１】本発明の第一形態例を示す断面図である。
【図２】図１の格子盤の流路の詳細を示す拡大図である。
【図３】本発明の第二形態例を示す断面図である。
【図４】従来のミキシング構造の一例を示す断面図である。
【図５】図４の格子盤の流路の詳細を示す拡大図である。
【発明を実施するための形態】
【００２２】
以下本発明の実施の形態を図面を参照しつつ説明する。
【００２３】
図１は本発明の第一形態例を示すもので、ここに図示している例では、排気管１（排気系）の途中の屈曲部１Ａ（排気ガス４が曲折して流れる流れ変更部）に、該屈曲部１Ａの上流側から向かってくる排気ガス４の流入方向（図１中の矢印ｘを参照）と、前記屈曲部１Ａの下流側へ抜け出る排気ガス４の流出方向（図１中の矢印ｙを参照）とが成す角度を略二等分するように前記格子盤７が傾斜配置されている。
【００２４】
ここで、前記格子盤７には、該格子盤７の軸心方向に多数の流路７ａが開通され且つ該各流路７ａの出側に排気ガス４の流れを屈曲部１Ａからの流出方向へ案内するフィン７ｂが付設されていて、前記屈曲部１Ａを曲折して流れる排気ガス４に対し前記各流路７ａと前記フィン７ｂとによる整流効果が与えられるようになっている。
【００２５】
また、前記屈曲部１Ａにおける該屈曲部１Ａから下流側に向けて延びる排気管１に対し前記格子盤７を挟んで反対側となる位置に、該格子盤７の入側に対し前記排気ガス４の流出方向に向け尿素水５（添加剤）を噴射し得るようにインジェクタ３を膨出部８を介し配置し、図２に拡大して示す如く、前記屈曲部１Ａの上流側から向かってくる排気ガス４が衝突する前記格子盤７の流路壁の裏側に、前記インジェクタ３からの尿素水５の噴霧が衝突するように構成してある。
【００２６】
而して、このようにすれば、排気管１の途中に多く存在している屈曲部１Ａの中から最適な位置を選んで格子盤７を配置することが可能となるので、該格子盤７の上流側で尿素水５を添加するインジェクタ３を配置するにあたり、該インジェクタ３と周辺機器や構造物との干渉を避け易くなり、インジェクタ３及び格子盤７のレイアウトの自由度が従来よりも高められることになる。
【００２７】
更に、屈曲部１Ａの上流側から向かってくる排気ガス４が衝突する格子盤７の流路壁の裏側に、インジェクタ３からの尿素水５の噴霧を衝突させるようにしているので、該尿素水５の噴霧が排気ガス４の流れの影響を受け難くなって格子盤７の流路壁に衝突し易くなり、しかも、その衝突した流路壁の表側には排気ガス４が衝突して効果的な加熱が成されているので、前記尿素水５の噴霧の気化が著しく促進されて気化効率が従来よりも高められることになる。
【００２８】
また、本来なら排気ガス４が曲折して流れることで圧力損失が増えるはずの屈曲部１Ａに、排気ガス４の流入方向と流出方向とが成す角度を略二等分するように格子盤７を傾斜配置したことにより、該格子盤７の各流路７ａによる整流効果で排気ガス４の曲がり方向外側への偏流を是正することが可能となり、格子盤７を配置しない場合よりも圧力損失を少なくすることが可能となる。
【００２９】
特に本形態例においては、前記各流路７ａの出側にフィン７ｂが付設されていて、該フィン７ｂにより前記格子盤７の各流路７ａを抜け出た排気ガス４の流れを流出方向へ案内するようにしているので、前記格子盤７の各流路７ａによる整流効果をより一層高めて更なる圧力損失の低減化を図ることが可能である。
【００３０】
従って、上記形態例によれば、インジェクタ３及び格子盤７のレイアウトの自由度を従来より大幅に高めることができると共に、尿素水５の気化効率を従来より大幅に高めることもでき、更には、各流路７ａとフィン７ｂとによる整流効果で格子盤７の配置に伴う圧力損失を著しく抑制することもできる。
【００３１】
また、図３は本発明の第二形態例を示すもので、パティキュレートフィルタや排気浄化触媒等の排気浄化材９を抱持しているケーシング１０の出側で前記排気浄化材９の軸心方向に対し略直角な向きの排気管１へ排気ガス４を抜き出すようにした流れ変更部１０Ａに適用した例を示している。
【００３２】
ここに図示している例では、前記流れ変更部１０Ａがケーシング１０の出側で下流側の排気管１の軸心延長方向に延びるチャンバ状に形成されており、前記排気浄化材９を抜け出た排気ガス４が開口部１１を介し流入して排気管１へと曲折して流れるようになっているので、前記開口部１１から向かってくる排気ガス４の流入方向（図３中の矢印ｘを参照）と、下流側の排気管１へ抜け出る排気ガス４の流出方向（図３中の矢印ｙを参照）とが成す角度を略二等分するように格子盤７が傾斜配置されている。
【００３３】
そして、前記流れ変更部１０Ａにおける下流側の排気管１に対し前記格子盤７を挟んで反対側となる位置に、該格子盤７の入側に対し前記排気ガス４の流出方向に向け尿素水５（添加剤）を噴射し得るようにインジェクタ３を配置し、前記開口部１１から向かってくる排気ガス４が衝突する前記格子盤７の流路壁の裏側に、前記インジェクタ３からの尿素水５の噴霧が衝突するように構成してある（図２参照）。
【００３４】
而して、このようにパティキュレートフィルタや排気浄化触媒等の排気浄化材９を抱持しているケーシング１０の出側で排気ガス４が曲折して流れるようになっていて、インジェクタ３と周辺機器や構造物との干渉を避け易い条件が整っているようなケースでは、このような場所に本発明のミキシング構造を適用して前述の第一形態例と同様の作用効果を得ることができる。
【００３５】
尚、本発明のミキシング構造は、上述の形態例にのみ限定されるものではなく、流れ変更部は必ずしも排気系途中の屈曲部に限定されないこと、添加剤は尿素水に限定されないこと、選択還元型触媒以外の触媒やパティキュレートフィルタとの組み合わせは任意であること、その他、本発明の要旨を逸脱しない範囲内において種々変更を加え得ることは勿論である。
【符号の説明】
【００３６】
１      排気管（排気系）
１Ａ    屈曲部（流れ変更部）
３      インジェクタ
４      排気ガス
５      尿素水（添加剤）
７      格子盤
７ａ    流路
７ｂ    フィン
１０Ａ  流れ変更部
【図１】
2015218687.tif 000003
【図２】
2015218687.tif 000004
【図３】
2015218687.tif 000005
【図４】
2015218687.tif 000006
【図５】
2015218687.tif 000007